(57)【要約】【課題】広告を最適に配信することができるようにする。【解決手段】デバイス判別部２１は、広告媒体サイト２の画面が表示されるデバイス５を判別する。組合せ選択部２２は、判別されたデバイス５に対応する、広告媒体サイト２で表示する広告とランディングページの組合せの一覧を取得し、広告実績情報記憶部２５からの広告実績情報に基づいて、取得した広告とランディングページの各組合せのなかから、所定の組合せを選択する。広告配信制御部２３は、組合せ選択部２２で決定された組合せの広告をデバイス５に表示させるとともに、表示された広告がクリックされたときのアクセス先として、組合せ選択部２２で決定された組合せのランディングページを指定する。本発明は、例えば、広告配信サーバに適用できる。【選択図】図７
2013029906.tif 000002
【特許請求の範囲】
【請求項１】
広告媒体となるWEBサイトに広告を配信する広告配信サーバにおいて、
前記WEBサイトの画面が表示されるデバイスを判別する判別部と、
判別された前記デバイスに対応する、前記WEBサイトで表示する広告とランディングページの組合せの一覧を取得し、前記広告の過去の実績を示す広告実績情報に基づいて、取得した前記広告とランディングページの組合せのなかから、所定の前記広告とランディングページの組合せを選択する選択部と、
前記選択部により選択された前記組合せの広告を、前記デバイスの前記WEBサイトの画面に表示させるとともに、表示された前記広告がクリックされたときのアクセス先として、前記選択部により選択された前記組合せのランディングページを指定する配信制御部と
を備える広告配信サーバ。
【請求項２】
前記選択部は、前記広告の過去の実績を示す広告実績情報に基づいて、複数の前記広告とランディングページの組合せの表示比率を決定し、決定された前記表示比率となるように、所定の前記広告とランディングページの組合せを選択する
請求項１に記載の広告配信サーバ。
【請求項３】
前記広告実績情報は、前記広告の、表示回数、クリック数、成果数、退会数、クリック率、及び成果率のなかの少なくとも１つである
請求項２に記載の広告配信サーバ。
【請求項４】
前記判別部は、前記デバイスのOSを判別する
請求項２に記載の広告配信サーバ。
【請求項５】
広告媒体となるWEBサイトに広告を配信する広告配信サーバの広告配信方法であって、
前記WEBサイトの画面が表示されるデバイスを判別し、
判別された前記デバイスに対応する、前記WEBサイトで表示する広告とランディングページの組合せの一覧を取得し、前記広告の過去の実績を示す広告実績情報に基づいて、取得した前記広告とランディングページの組合せのなかから、所定の前記広告とランディングページの組合せを選択し、
選択された前記組合せの広告を、前記デバイスの前記WEBサイトの画面に表示させるとともに、表示された前記広告がクリックされたときのアクセス先として、選択された前記組合せのランディングページを指定する
ステップを含む広告配信方法。
【請求項６】
広告媒体となるWEBサイトに広告を配信する処理を行うコンピュータに、
前記WEBサイトの画面が表示されるデバイスを判別し、
判別された前記デバイスに対応する、前記WEBサイトで表示する広告とランディングページの組合せの一覧を取得し、前記広告の過去の実績を示す広告実績情報に基づいて、取得した前記広告とランディングページの組合せのなかから、所定の前記広告とランディングページの組合せを選択し、
選択された前記組合せの広告を、前記デバイスの前記WEBサイトの画面に表示させるとともに、表示された前記広告がクリックされたときのアクセス先として、選択された前記組合せのランディングページを指定する
処理を実行させるためのプログラム。
【発明の詳細な説明】
【技術分野】
【０００１】
本発明は、広告配信サーバ、広告配信方法、およびプログラムに関し、特に、広告を最適に配信することができるようにする広告配信サーバ、広告配信方法、およびプログラムに関する。
【背景技術】
【０００２】
インターネットの普及に伴い、ユーザがWEBサイトを閲覧しているときに表示されるバナー広告（以下、単に広告という。）の重要性が増してきている。そのため、WEBサイトに表示させる広告を最適に表示する方法、即ち、広告の効果がより高くなるように広告を表示する様々な方法が提案されている（例えば、特許文献１乃至４参照）。
【０００３】
ところで、近年、スマートフォンと呼ばれる、携帯電話機と携帯情報端末を融合させた高機能の携帯端末が急速に普及してきている。スマートフォンでは、一般にアプリと呼ばれるアプリケーションプログラム（Application Program）を端末上で実行することができる。スマートフォンには、アップル社製のiPhone端末（iPhoneは登録商標）や、グーグル社製のプラットフォームであるAndroidを搭載したAndroid端末（Androidは登録商標）など、複数のタイプがある。このようなタイプの異なる２つのスマートフォンを、以下、タイプAのスマートフォン、タイプBのスマートフォンという。
【先行技術文献】
【特許文献】
【０００４】
【特許文献１】特開２０１１−２８５９６号公報
【特許文献２】特開２００９−２５２９２２号公報
【特許文献３】特開２００８−１２５４１４号公報
【特許文献４】特開２０１１−１３７２７号公報
【発明の概要】
【発明が解決しようとする課題】
【０００５】
従来型の携帯電話機において、インターネットに接続してWEBサイトを閲覧できるものはあるが、その場合には、携帯電話機からの閲覧用に予め用意されているWEBサイトで、パーソナルコンピュータで閲覧できるWEBサイトとは異なるサイトが表示されるものであった。しかし、スマートフォンでは、パーソナルコンピュータから閲覧できるWEBサイトと同一のWEBサイトを閲覧することができる。そのため、以下のような問題があった。
【０００６】
図１に示すように、WEBサイトの広告を配信する広告配信サーバが、パーソナルコンピュータで閲覧しているユーザをターゲットとして広告を配信しているにも関わらず、スマートフォンのユーザが、その広告を閲覧することがあった。また逆に、タイプAのスマートフォンのユーザ向けに配信された広告が、タイプBのスマートフォンやパーソナルコンピュータのユーザによって閲覧されることもあった。このような場合、広告のターゲットとなるデバイスを使用しているユーザ以外に対しては、無駄な広告の表示となってしまい、広告の機会を無駄に消費してしまうことになる。
【０００７】
本発明は、このような状況に鑑みてなされたものであり、広告を最適に配信することができるようにするものである。
【課題を解決するための手段】
【０００８】
本技術の一側面の広告配信サーバは、広告媒体となるWEBサイトに広告を配信する広告配信サーバにおいて、前記WEBサイトの画面が表示されるデバイスを判別する判別部と、判別された前記デバイスに対応する、前記WEBサイトで表示する広告とランディングページの組合せの一覧を取得し、前記広告の過去の実績を示す広告実績情報に基づいて、取得した前記広告とランディングページの組合せのなかから、所定の前記広告とランディングページの組合せを選択する選択部と、前記選択部により選択された前記組合せの広告を、前記デバイスの前記WEBサイトの画面に表示させるとともに、表示された前記広告がクリックされたときのアクセス先として、前記選択部により選択された前記組合せのランディングページを指定する配信制御部とを備える。
【０００９】
本技術の一側面の広告配信方法は、広告媒体となるWEBサイトに広告を配信する広告配信サーバの広告配信方法であって、前記WEBサイトの画面が表示されるデバイスを判別し、判別された前記デバイスに対応する、前記WEBサイトで表示する広告とランディングページの組合せの一覧を取得し、前記広告の過去の実績を示す広告実績情報に基づいて、取得した前記広告とランディングページの組合せのなかから、所定の前記広告とランディングページの組合せを選択し、選択された前記組合せの広告を、前記デバイスの前記WEBサイトの画面に表示させるとともに、表示された前記広告がクリックされたときのアクセス先として、選択された前記組合せのランディングページを指定するステップを含む。
【００１０】
本技術の一側面のプログラムは、広告媒体となるWEBサイトに広告を配信する処理を行うコンピュータに、前記WEBサイトの画面が表示されるデバイスを判別し、判別された前記デバイスに対応する、前記WEBサイトで表示する広告とランディングページの組合せの一覧を取得し、前記広告の過去の実績を示す広告実績情報に基づいて、取得した前記広告とランディングページの組合せのなかから、所定の前記広告とランディングページの組合せを選択し、選択された前記組合せの広告を、前記デバイスの前記WEBサイトの画面に表示させるとともに、表示された前記広告がクリックされたときのアクセス先として、選択された前記組合せのランディングページを指定する処理を実行させるためのものである。
【００１１】
本技術の一側面においては、WEBサイトの画面が表示されるデバイスが判別され、判別された前記デバイスに対応する、前記WEBサイトで表示する広告とランディングページの組合せの一覧が取得され、前記広告の過去の実績を示す広告実績情報に基づいて、取得された前記広告とランディングページの組合せのなかから、所定の前記広告とランディングページの組合せが選択され、選択された前記組合せの広告が、前記デバイスの前記WEBサイトの画面に表示されるとともに、表示された前記広告がクリックされたときのアクセス先として、選択された前記組合せのランディングページが指定される。
【発明の効果】
【００１２】
本発明の一側面によれば、広告を最適に配信することができる。
【図面の簡単な説明】
【００１３】
【図１】従来の問題を説明する図である。
【図２】本発明を適用した広告配信システムの一実施の形態の構成例を示す図である。
【図３】広告配信サーバによる広告配信処理の概要について説明する図である。
【図４】広告配信処理について説明するフローチャートである。
【図５】広告とランディングページの組合せ一覧を説明する図である。
【図６】広告実績情報を説明する図である。
【図７】広告配信サーバの機能的構成例を示すブロック図である。
【図８】本発明を適用したコンピュータの一実施の形態の構成例を示すブロック図である。
【発明を実施するための形態】
【００１４】
［広告配信システムの構成例］
図２は、本発明を適用した広告配信システムの一実施の形態の構成例を示している。
【００１５】
図２の広告配信システムは、広告媒体となるWEBサイト２に、移動体電話通信網やインターネットなどからなるネットワーク４を介して広告配信サーバ１から供給される広告（バナー広告）を表示させ、ユーザが、その広告（の画像）をクリックすると、広告にリンクされている広告主のWEBサイト３にユーザの閲覧画面が移動するように、広告主のWEBサイト３にユーザを誘導するシステムである。広告主にとっては、広告をユーザに閲覧してもらうことによる宣伝効果は勿論、広告主のWEBサイト３で、商品を購入してもらったり、所定サービスの会員になってもらうことが広告の成果（効果）となり、広告配信サーバ１には、より効果が高くなるような広告の配信が望まれている。
【００１６】
以下では、広告媒体となるWEBサイト２を、広告媒体サイト２と称し、広告主のWEBサイト３を広告主サイト３と称する。
【００１７】
本実施の形態においては、広告の閲覧者であるユーザとして、ユーザX、ユーザY、およびユーザZがいるものとし、ユーザX、ユーザY、およびユーザZそれぞれは、異なるタイプのデバイス（端末）５を使用して、広告媒体サイト２や広告主サイト３を閲覧するものとする。具体的には、ユーザXはタイプAのスマートフォン５Aを使用し、ユーザYはタイプBのスマートフォン５Bを使用し、ユーザZはパーソナルコンピュータ５C（以下、パソコン５Cと称する。）を使用して、広告媒体サイト２や広告主サイト３を閲覧する。スマートフォン５Aは、例えば、アップル社製のiPhone端末（iPhoneは登録商標）などであり、スマートフォン５Bは、例えば、グーグル社製のプラットフォームであるAndroidを搭載したAndroid端末など（Androidは登録商標）である。
【００１８】
なお、スマートフォン５A、スマートフォン５B、およびパソコン５Cは、ユーザがWEBサイトを閲覧可能なデバイス５の一例であり、デバイス５は、例えば、WEBページを表示するブラウザを実行することができるタブレット端末、PDA (Personal Digital Assistant)、携帯型ゲーム機などでもよい。
【００１９】
広告配信サーバ１は、広告媒体サイト２に広告主の広告を表示する際、ユーザが広告を閲覧するために使用しているデバイス（のタイプ）を判別して、そのデバイスに適した広告を配信する。
【００２０】
即ち、広告配信サーバ１は、デバイス５で起動されているOS(Operating System)を、HTTP(HyperText Transfer Protocol)クライアントであるブラウザのユーザエージェント（HTTP_USER_AGENT）から判別することにより、ユーザが使用しているデバイスを判別する。従って、本実施の形態において、デバイス５の判別とは、ユーザがデバイス５で使用しているOSの判別を意味する。
【００２１】
［広告配信処理の概要］
図３を参照して、広告配信サーバ１による広告配信処理の概要について説明する。
【００２２】
上述したように、広告配信サーバ１は、広告媒体サイト２に広告主の広告を表示する際、ユーザが広告を閲覧するために使用しているデバイス５を判別して、そのデバイス５に適した広告を配信する。
【００２３】
具体的には、ユーザXがスマートフォン５Aを使用して広告媒体サイト２を閲覧している場合には、広告配信サーバ１は、広告媒体サイト２にスマートフォン５A向けの広告を配信し、ユーザYがスマートフォン５Bを使用して広告媒体サイト２を閲覧している場合には、広告媒体サイト２にスマートフォン５B向けの広告を配信する。同様に、ユーザZがパソコン５Cを使用して広告媒体サイト２を閲覧している場合には、広告配信サーバ１は、広告媒体サイト２にパソコン５C向けの広告を配信する。なお、広告には、スマートフォンに共通の広告もあり、そのような広告は、スマートフォン５Aおよびスマートフォン５Bの両方に対して配信される。スマートフォン５A、スマートフォン５B、及びパソコン５Cのユーザ全てを対象とする広告は、いずれのデバイス５にも配信される。
【００２４】
また、広告配信サーバ１は、ユーザが、配信された広告（の画像）をクリックしたときのリンク先となるWEBページ、即ちランディングページも、判別したデバイス５に応じて区別し、最適なランディングページを設定する。
【００２５】
［広告配信処理の具体的説明］
図４のフローチャート（シーケンス図）を参照して、図１の広告配信システムにおける広告配信処理について説明する。
【００２６】
初めに、ステップＳ１において、ユーザがデバイス５のブラウザから広告媒体サイト２を閲覧する操作を行うと、デバイス５のブラウザは、広告媒体サイト２にアクセスして、WEBページのデータをリクエストする。
【００２７】
ステップＳ２において、広告媒体サイト２は、デバイス５からのWEBページデータのリクエストを受信し、受信したリクエストに応じてWEBページデータをデバイス５に送信する。ここで送信されるWEBページデータには、広告配信サーバ１によって配信されて表示される（埋め込まれる）広告の領域は空きとなっている。
【００２８】
デバイス５のブラウザは、ステップＳ３において、広告媒体サイト２から送信されてくるWEBページデータを受信し、受信したWEBページデータに基づいて、WEBページを表示する。また、ステップＳ３において、デバイス５のブラウザは、WEBページの広告の領域に表示する広告画像を、広告配信サーバ１にリクエストする。
【００２９】
広告配信サーバ１は、ステップＳ４において、デバイス５からの広告画像のリクエストを受信して、デバイス５のブラウザのユーザエージェントを取得する。そして、広告配信サーバ１は、取得したユーザエージェントから、デバイス５を判別する。即ち、デバイス５のOSが判別される。
【００３０】
ステップＳ５において、広告配信サーバ１は、判別したデバイス５向けに設定されている広告とランディングページの組合せ一覧を取得する。
【００３１】
そして、ステップＳ６において、広告配信サーバ１は、判別したデバイス５向けの広告とランディングページの組合せ一覧に対して、広告の過去の実績を示す広告実績情報に基づいて、広告とランディングページの各組合せの表示比率を決定する。
【００３２】
ステップＳ５およびＳ６の処理について、図５および図６を参照して詳述する。
【００３３】
広告配信サーバ１は、各広告媒体サイト２に対して、判別結果とされるデバイス５ごとに、図５Ａに示されるような、広告とランディングページの組合せ一覧（のデータ）を内部に記憶している。また、広告配信サーバ１は、図５Bに示される、図５Ａの広告とランディングページの各組合せで過去に提示したときの、過去の実績（効果）を示す広告実績情報も、図５Ａの組合せ一覧に対応して内部に記憶している。
【００３４】
いま、ステップＳ４におけるデバイス５の判別結果として、デバイス５がスマートフォン５Aであると判別されたとし、図５Aが、ある広告媒体サイト２のスマートフォン５A用の、広告とランディングページの組合せ一覧であるとする。
【００３５】
ある広告媒体サイト２のスマートフォン５A用に表示する広告としては、広告１と広告２の２種類が用意されており、ランディングページも、ランディングページ１とランディングページ２の２種類が用意されている。この場合、図５Aに示されるような４通りの広告とランディングページの組合せが可能であり、それぞれが組合せ一覧に登録されている。即ち、組合せNo.1としては、広告１とランディングページ１の組合せであり、組合せNo.2としては、広告１とランディングページ２の組合せであり、組合せNo.3としては、広告２とランディングページ１の組合せであり、組合せNo.4としては、広告２とランディングページ２の組合せである。
【００３６】
また、図５Bに示されるように、図５Aに示される広告とランディングページの各組合せの広告実績情報として、クリック数と成果数が、組合せNo.1乃至No.4それぞれについて記憶されている。図５Bによれば、過去に組合せNo.1で提示した場合のクリック数が「５３」であり、成果数が「２５」である。また、過去に組合せNo.2で提示した場合のクリック数が「３８」で、成果数が「１２」であり、過去に組合せNo.3で提示した場合のクリック数が「１９」で、成果数が「１０」である。過去に組合せNo.4で提示した場合のクリック数は「８」で、成果数が「２」である。ここでいう「クリック数」は、提示した広告（画像）がクリックされた数を表し、「成果数」は、広告主サイト３が商品販売サイトであれば商品の購入であり、広告主サイト３がコミュニティサイトであれば会員登録など、サイトでの所定の目的が達成された成果（いわゆるコンバージョン）の数をいう。
【００３７】
広告配信サーバ１は、図５Ｂに示した広告の過去の実績を示す広告実績情報に基づいて、例えば、図６に示すような、広告とランディングページの各組合せの表示比率を決定する。
【００３８】
図６の例では、組合せNo.1：組合せNo.2：組合せNo.3：組合せNo.4の表示比率が、クリック数の比率に概ね合わせて、５：４：２：１と決定されている。
【００３９】
ステップＳ５およびＳ６の処理では、以上のような組合せ一覧の取得、および、取得された各組合せに対する表示比率の決定が行われる。
【００４０】
図４に戻り、ステップＳ７において、広告配信サーバ１は、決定した表示比率に基づいて、今回の広告とランディングページの組合せを選択して、決定する。例えば、広告配信サーバ１は、組合せNo.1を選択して、決定する。
【００４１】
ステップＳ８において、広告配信サーバ１は、決定した広告とランディングページの組合せに基づく広告画像のデータを、ステップＳ３の広告画像のリクエストに対する返信（レスポンス）として送信する。
【００４２】
ステップＳ９において、デバイス５のブラウザは、広告配信サーバ１からの広告画像のデータを受信し、WEBページの所定の領域に広告を表示する。
【００４３】
ステップＳ１０において、デバイス５のブラウザは、ユーザによる広告のクリックを検出すると、ステップＳ１１において、広告がクリックされたことを示す広告クリック情報を広告配信サーバ１に送信する。
【００４４】
広告配信サーバ１は、ステップＳ１２において、デバイス５からの広告クリック情報を受信し、ステップＳ７で選択した組合せに基づいて、ランディングページを決定する。上述の例で組合せNo.1が選択されている場合には、ランディングページには、ランディングページ１が決定される。
【００４５】
そして、ステップＳ１３において、広告配信サーバ１は、決定したランディングページ１をリダイレクト先として返信する。
【００４６】
ステップＳ１４において、デバイス５のブラウザは、リダイレクト先であるランディングページ１（のURL）を受信し、リダイレクトする。即ち、デバイス５のブラウザは、ランディングページ１として指定される広告主サイト３の所定のWEBページにアクセスする。
【００４７】
広告主サイト３は、ステップＳ１５において、デバイス５からのアクセスに応じて、ランディングページ１のWEBページデータをデバイス５に送信する。
【００４８】
デバイス５のブラウザは、ステップＳ１６において、広告主サイト３からのWEBページデータを受信し、ランディングページ１としてのWEBページを表示する。
【００４９】
以上のように、図１の広告配信システムにおける広告配信処理では、広告実績情報に基づいて、広告とランディングページの各組合せの表示比率が決定され、決定された表示比率に基づいて、広告媒体サイト２で表示する広告とランディングページが選択される。
【００５０】
［広告配信サーバ１の機能構成ブロック図］
上述した広告配信サーバ１の構成を機能的に示すと、図７に示すようになる。即ち、図７は、広告配信サーバ１の機能的構成例を示すブロック図である。
【００５１】
広告配信サーバ１は、デバイス判別部２１、組合せ選択部２２、広告配信制御部２３、組合せ一覧記憶部２４、広告実績情報記憶部２５、及び、広告画像記憶部２６を少なくとも有している。
【００５２】
デバイス判別部２１は、広告媒体サイト２の画面が表示されるデバイス５を判別し、判別結果を組合せ選択部２２に供給する。より具体的には、デバイス判別部２１は、デバイス５のブラウザのユーザエージェントから、デバイス５のOSを判別する。
【００５３】
組合せ選択部２２は、判別されたデバイス５に対応する、広告媒体サイト２で表示する広告とランディングページの組合せ一覧を、組合せ一覧記憶部２４から取得する。また、組合せ選択部２２は、組合せ一覧記憶部２４から取得した、広告とランディングページの各組合せの広告実績情報を、広告実績情報記憶部２５から取得する。そして、組合せ選択部２２は、判別されたデバイス５と広告媒体サイト２に対応する、広告とランディングページの各組合せのなかから、それらの広告実績情報に基づいて、所定の組合せを選択する。組合せ選択部２２は、判別されたデバイス５と広告媒体サイト２に対して所定回数の広告配信を行う場合に、広告とランディングページの各組合せの広告実績情報に基づいて、各組合せの表示比率を決定し、決定された表示比率となるように、所定の組合せを選択する。
【００５４】
広告配信制御部２３は、組合せ選択部２２で決定された組合せの広告の画像を広告画像記憶部２６から取得し、デバイス５に送信（配信）し、デバイス５の画面に表示させる。また、広告配信制御部２３は、デバイス５の画面に表示された広告がクリックされたときのアクセス先（リダイレクト先）として、組合せ選択部２２で決定された組合せのランディングページを指定（返信）する。
【００５５】
組合せ一覧記憶部２４は、図５Aに示したような、広告とランディングページの組合せ一覧（のデータ）を、広告媒体サイト２かつ判別単位のデバイス５ごとに記憶する。なお、図５Aの例では、２種類の広告と２種類のランディングページに対して取り得る全ての組合せが、記憶されていたが、必ずしも広告とランディングページの全ての組合せが記憶されている必要はない。
【００５６】
広告実績情報記憶部２５は、図５Bに示したような、組合せ一覧記憶部２４に記憶されている各組合せの広告実績情報を記憶する。従って、広告実績情報も、広告媒体サイト２かつ判別単位のデバイス５ごとに記憶されている。ただし、広告実績情報は、必ずしも表示対象の広告媒体サイト２で表示されたときの実績である必要はない。
【００５７】
上述した例では、広告実績情報として、クリック数と成果数が記憶されている例について説明したが、広告実績情報記憶部２５に記憶される広告実績情報は、これに限られない。例えば、広告の、表示回数、退会数、クリック率（＝クリック数／表示回数）、成果率（＝成果数／クリック数）などを、広告実績情報として、広告実績情報記憶部２５に記憶するようにしてもよい。
【００５８】
また、組合せ選択部２２は、広告実績情報記憶部２５に記憶されている広告実績情報に基づいて、広告とランディングページの組合せを選択する際、表示回数、クリック数、成果数、退会数、クリック率、及び、成果率のいずれか一つを用いて選択、決定してもよいし、２つ以上を適切に（平均、重み付け平均などにより）組合せた結果に基づいて選択、決定してもよい。
【００５９】
広告画像記憶部２６は、広告配信サーバ１が配信すべきバナー広告の画像を記憶する。
【００６０】
以上のように構成される広告配信サーバ１は、ユーザが広告媒体サイト２の閲覧に使用しているデバイス５を判別し、判別したデバイス５（のOS）に応じた広告を広告媒体サイト２に表示させる。より具体的には、判別されたデバイス５と広告媒体サイト２ごとに保持される広告の過去の実績（効果）に基づいて、広告が選択され、表示される。これにより、より広告の効果があがりやすいような配信が可能となり、広告を最適に配信することができる。
【００６１】
デバイス５の判別を、OSの種類を特定することにより行うようにしたが、それ以外の判別方法により判別するようにしてもよい。例えば、OSのバージョン、デバイス５の機種（デバイス５の製造メーカ）、通信会社（キャリア）などにより、デバイス５を判別（分類）し、その判別結果に応じて、広告とランディングページの組合せを選択するようにしてもよい。
【００６２】
上述した一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【００６３】
図８は、上述した一連の処理をプログラムにより実行するコンピュータのハードウエアの構成例を示すブロック図である。
【００６４】
コンピュータにおいて、CPU（Central Processing Unit）１０１，ROM（Read Only Memory）１０２，RAM（Random Access Memory）１０３は、バス１０４により相互に接続されている。
【００６５】
バス１０４には、さらに、入出力インタフェース１０５が接続されている。入出力インタフェース１０５には、入力部１０６、出力部１０７、記憶部１０８、通信部１０９、及びドライブ１１０が接続されている。
【００６６】
入力部１０６は、キーボード、マウス、マイクロホンなどよりなる。出力部１０７は、ディスプレイ、スピーカなどよりなる。記憶部１０８は、ハードディスクや不揮発性のメモリなどよりなる。通信部１０９は、ネットワークインタフェースなどよりなる。ドライブ１１０は、磁気ディスク、光ディスク、光磁気ディスク、或いは半導体メモリなどのリムーバブル記録媒体１１１を駆動する。
【００６７】
以上のように構成されるコンピュータでは、CPU１０１が、例えば、記憶部１０８に記憶されているプログラムを、入出力インタフェース１０５及びバス１０４を介して、RAM１０３にロードして実行することにより、上述した一連の処理が行われる。
【００６８】
図７のデバイス判別部２１、組合せ選択部２２、及び広告配信制御部２３は、図８のCPU１０１、RAM１０３、通信部１０９などに対応し、図７の組合せ一覧記憶部２４、広告実績情報記憶部２５、及び、広告画像記憶部２６は、図８の記憶部１０８などに対応する。
【００６９】
コンピュータでは、プログラムは、リムーバブル記録媒体１１１をドライブ１１０に装着することにより、入出力インタフェース１０５を介して、記憶部１０８にインストールすることができる。また、プログラムは、ローカルエリアネットワーク、インターネット、デジタル衛星放送といった、有線または無線の伝送媒体を介して、通信部１０９で受信し、記憶部１０８にインストールすることができる。その他、プログラムは、ROM１０２や記憶部１０８に、あらかじめインストールしておくことができる。
【００７０】
コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【００７１】
なお、本明細書において、システムとは、複数の装置により構成される装置全体を表すものである。
【００７２】
本発明の実施の形態は、上述した実施の形態に限定されるものではなく、本発明の要旨を逸脱しない範囲において種々の変更が可能である。
【符号の説明】
【００７３】
１  広告配信サーバ
２１  デバイス判別部
２２  組合せ選択部
２３  広告配信制御部
２４  組合せ一覧記憶部
２５  広告実績情報記憶部
２６  広告画像記憶部
【図１】
2013029906.tif 000003
【図２】
2013029906.tif 000004
【図３】
2013029906.tif 000005
【図４】
2013029906.tif 000006
【図５】
2013029906.tif 000007
【図６】
2013029906.tif 000008
【図７】
2013029906.tif 000009
【図８】
2013029906.tif 000010